(57)【要約】【課題】  植栽ポットを大径化したり長尺化することなく保水性と保肥性を確保でき、植栽作業が容易であり、植栽ポットの製造コストが上昇することがない岩盤植栽方法の提供。【解決手段】  隣接し互いに連結された３本のポット挿入穴４０Ａ、４０Ｂ、４０Ｃを岩盤３０の植栽面３２にさく孔し、ポット挿入穴４０Ａ、４０Ｂ、４０Ｃによって植栽穴３８を形成する。苗木６０を入れた筒状の植栽ポット５４を苗木ポット５２とし、肥料６４を入れた植栽ポット５４を肥料ポット５４とし、苗木ポット５２をポット挿入穴４０Ｂに挿入し、肥料ポット５４をポット挿入穴４０Ａ、４０Ｃ挿入する。【選択図】  図７
2006121917.tif 000002
【特許請求の範囲】
【請求項１】
隣接するポット挿入穴同士が互いに連結されてなる植栽穴を岩盤にさく孔し、苗木又は種子と肥料とを入れた植栽ポットを植栽穴に挿入することを特徴とする岩盤植栽方法。
【請求項２】
植栽穴を形成するポット挿入穴の１つに苗木を入れた植栽ポットを挿入するとともに、残りのポット挿入穴に肥料を入れた植栽ポットを挿入することを特徴とする請求項１記載の岩盤植栽方法。
【発明の詳細な説明】
【技術分野】
【０００１】
本発明は、岩盤に苗木又は種子を植え込み植栽する岩盤植栽方法に関する。
【背景技術】
【０００２】
従来、道路工事等で生じる法面に植物を植栽して、法面を緑化し、法面の崩壊を防止することが行われている。一般に用いられる植栽方法として吹付け工法がある。吹付け工法では、植栽面に土や肥料等の植栽基盤材とともに植物の種子を吹付け、植栽面で植物を発芽させ育成する。植栽面が盛土をした法面や地盤を開削した法面である場合、植栽面の土壌が柔らかく、保水性や保肥性も良いので、種子の発芽、育成に適した環境となっている。しかし、植栽面が法面であるので、吹き付けた植栽基盤材及び種子が降雨等によって流失するおそれがあり、植物を確実に育成できるとは限らない。また、吹付け工法は種子を植栽面に散布するので、苗木を植栽できない。
【０００３】
そこで、植栽面である法面に植物を種子から確実に育成可能とし、また、苗木の植栽をも可能とする植栽方法が提唱されている（特許文献１参照）。図１１にこの植栽方法を示す。苗木６０を植栽面である法面３６に植栽する場合、法面３６にポット挿入穴３９を形成し、古紙と肥料とフライアッシュとを含有する筒状の植栽ポット５０に苗木６０を土６２とともに入れ、ポット挿入穴３９に植栽ポット５０を埋め込む。苗木６０は植栽ポット５０によって法面３６で安定して保持される。
【特許文献１】特開２００３−０８２６６９４号公報
【発明の開示】
【発明が解決しようとする課題】
【０００４】
岩盤を開削した法面を植栽面として苗木を植栽する場合、岩盤である植栽面は保水性や保肥性が非常に悪く、種子の発芽、育成や苗木の育成にとって劣悪な環境となっている。
岩盤の植栽面にポット挿入穴を形成し、苗木と土を入れた植栽ポットをポット挿入穴に挿入する場合、苗木が岩盤に根付くためには、苗木が植栽ポット内である程度成長し、根を岩盤に抗って根を進入させるに足りる成長力を蓄える必要がある。しかし、植栽ポットを一般の土壌に挿入する場合と異なり、岩盤から植栽ポットに水分や肥料が補給されることはないので、植栽ポットに入れられた苗木は水分と肥料が不足する。
【０００５】
また、ポット挿入穴の容積が小さいと、苗木が植栽ポット内で成長する過程において、根が岩盤へ侵入可能となる程の充分な強さを得るまで成長するための成長空間が確保できないので、苗木の根がポット挿入穴内でループ状に絡まりあって根巻きを発生し、苗木の成長が妨げられ、苗木が岩盤に根付きにくくなる。
ポット挿入穴を大径化するか長尺化し、植栽ポットをも大径化するか長尺化すれば、ポット挿入穴と植栽ポットの容積が大きくなり、苗木が吸収する水分と肥料の量が多くなるとともに、根の成長空間が充分確保できるので、根巻きの発生を防止できる。
【０００６】
しかし、ポット挿入穴と植栽ポットを大径化するか長尺化する場合、以下の問題を生じる。
ポット挿入穴を岩盤の植栽面にさく孔する際、さく孔装置を用いるが、大径のポット挿入穴をさく孔するためには大掛かりなさく孔装置が必要であり、植栽ポットのハンドリング性も悪くなる。特に、法面のような足場の悪い場所では、大径のポット挿入穴のさく孔作業と大径の植栽ポットの埋め込み作業が困難になる。また、植栽ポットを製造する際、スラリー状の原料を型入れし、圧縮成型し、乾燥する製造設備が必要であるが、大径の植栽ポットを製造するためには大規模な製造設備が必要となり、植栽ポットの製造コストが上昇する。
【０００７】
ポット挿入穴と植栽ポットを長尺化する場合も、これらを大径化する場合と同様の問題が生じ、長尺のポット挿入穴のさく孔作業と長尺の植栽ポットの埋め込み作業が困難になり、長尺の植栽ポットの製造コストが上昇する。これらの問題に加えて、長尺の植栽ポットは細長いので、強度不足を生じて破損しやすい。また、法面での開口面積が小さいので、雨水が植栽ポット内に入りにくく、苗木に充分な水分を供給できないという問題を生じる。
本発明は、上記問題を解決するものであり、その目的とするところは、植栽ポットを大径化したり長尺化することなく保水性と保肥性を確保でき、植栽作業が容易で、植栽ポットの製造コストの上昇を伴わない岩盤植栽方法を提供することである。
【課題を解決するための手段】
【０００８】
本発明は、その課題を解決するために以下のような構成をとる。請求項１の発明に係る岩盤植栽方法は、隣接するポット挿入穴同士が互いに連結されてなる植栽穴を岩盤にさく孔し、苗木又は種子と肥料とを入れた植栽ポットを植栽穴に挿入する。
請求項１の発明によると、苗木又は種子と肥料とが入った植栽ポットを岩盤にさく孔した植栽穴に挿入するので、苗木又は種子と肥料とが植栽ポットによって岩盤に安定して保持される。
【０００９】
隣接して互いに連結されたポット挿入穴を岩盤に順次さく孔することによって、植栽穴が岩盤に形成される。複数のポット挿入穴が植栽穴を形成するので、植栽穴の容積を大きくするにはポット挿入穴の数を増やせばよく、個々のポット挿入穴の径を大径化したり長尺化する必要がなく、大掛かりなさく孔装置を用いる必要もない。互いに連結するポット挿入穴の数や配置を調整することにより、植栽穴の容積を調整でき、植栽穴に挿入される植栽ポットと大気の接触面積をも調整できるので、植栽する植物の種類に応じて植栽穴の形状を選定でき、様々な植物を岩盤に植栽可能となる。
【００１０】
ポット挿入穴の数を増やして植栽穴の容積を大きくすると、植栽穴に挿入される植栽ポットの容積も大きくなる。したがって、植栽ポットに苗木や種子の成長に必要な量の肥料を入れることができ、苗木や種子に充分な肥料を供給できる。また、隣接するポット挿入穴同士を連結して植栽穴としているので、ポット挿入穴の数を増やすことによって、法面での開口面積が大きくなり、雨水が植栽ポットに入りやすく、苗木や種子に充分な水分を供給できる。
苗木は大きな容積の植栽ポット内で根の成長空間を充分確保し、水分と肥料を充分吸収する。苗木が植栽ポット内で成長し、根が岩盤へ侵入可能となる程の充分な強さを得てから、根が岩盤内に進入してしっかりと根付く。
【００１１】
請求項２の発明に係る岩盤植栽方法は、請求項１記載の岩盤植栽方法であって、植栽穴を形成するポット挿入穴の１つに苗木を入れた植栽ポットを挿入するとともに、残りのポット挿入穴に肥料を入れた植栽ポットを挿入する。
請求項２の発明によると、植栽穴を形成するポット挿入穴の１つに苗木を入れた植栽ポットを挿入し、残りのポット挿入穴に肥料を入れた植栽ポットを挿入するので、植栽ポットは各ポット挿入穴にそれぞれ挿入可能な大きさであればよい。したがって、ポット挿入穴の数が増えて植栽穴の容積が大きくなっても、植栽ポット単体の容積を大きくする必要はなく、植栽ポットを大型化した製造装置によって製造する必要もない。
【００１２】
植栽穴を形成するポット挿入穴の数や配置の調整を行って植栽穴の容積や形状が変わっても、各ポット挿入穴には同じ容積と形状を有する植栽ポットを挿入可能であり、様々な容積や形状を有する植栽ポットを製造して準備する必要はない。したがって、容積の大きな植栽穴を形成する場合であっても、植栽ポット単体の容積を大きくする必要がなく、植栽ポットの製造コストが上昇することはない。
【発明の効果】
【００１３】
本発明に係る上記岩盤植栽方法によれば、植栽ポットを大径化したり長尺化することなく保水性と保肥性を確保でき、植栽作業が容易であり、植栽ポットの製造コストが上昇することがない。
【発明を実施するための最良の形態】
【００１４】
本発明を実施するための最良の形態を図１〜図７を参照しつつ説明する。
図１に示すさく孔装置１は、さく岩機１０、ガイドシェル１２、マウンチング１４を有する。クローラドリル車両等の建設機械のアーム先端にマウンチング１４を介してガイドシェル１２が装着され、ガイドシェル１２にさく岩機１０が搭載されている。
さく岩機１０のロッド１６がガイドシェル１２の先端側のセントラライザ１８を貫通し、ロッド１６の先端にビット２０が装着されている。また、ガイドシェル１２の先端に円柱状のガイド２２が装着されている。ガイド２２の直径はビット２０の直径よりもやや小さく、ビット２０がさく孔したポット挿入穴４０にガイド２２を挿入可能となっている。ガイド２２の外周面のうちロッド１６に対向する部分が、軸方向に上下に連続する切り欠き面２４となっている（図１及び図２を参照）。切り欠き面２４とロッド１６の中心との距離Ｌ１はビット２０の半径Ｒ１よりもやや大きく、ロッド１６の中心とガイド２２の中心との間の距離Ｌ２は２Ｒ１よりも小さい。
【００１５】
まず、図３及び図４を参照しつつ、岩盤３０の植栽面３２に植栽穴３８をさく孔する手順について説明する。植栽面３２の植栽予定位置までさく孔装置１を動かし、１本目のポット挿入穴４０Ａのさく孔予定位置直上にビット２０を移動させる（図３（ｉ）を参照）。さく岩機１０をガイドシェル１２上で前進させつつ、ビット２０によってポット挿入穴４０Ａをさく孔する（図３（ｉｉ）を参照）。さく孔されるポット挿入穴４０Ａの直径はほぼ２Ｒ１となる。ポット挿入穴４０Ａをさく孔したら、さく岩機１０をガイドシェル１２上で後退させ、ポット挿入穴４０Ａからビット２０を引き出す（図３（ｉｉｉ）を参照）。
【００１６】
ポット挿入穴４０Ａからビット２０を引き出したら、ガイド２２がポット挿入穴４０Ａの直上にくるまでさく孔装置１を動かし、ガイドシェル１２をスライドさせてガイド２２をポット挿入穴４０Ａに挿入する（図４（ｉ）を参照）。そして、さく岩機１０をガイドシェル１２上で前進させつつ、ビット２０によってポット挿入穴４０Ａに隣接する２本目のポット挿入穴４０Ｂをさく孔する（図４（ｉｉ）を参照）。さく孔されるポット挿入穴４０Ｂの直径はポット挿入穴４０Ａの直径と同じほぼ２Ｒ１であり、ポット挿入穴４０Ａの中心とポット挿入穴４０Ｂの中心との距離は２Ｒ１よりも小さな距離Ｌ２となる。ポット挿入穴４０Ａの内周面の一部は軸方向に連続してポット挿入穴４０Ｂに開口し、ポット挿入穴４０Ａとポット挿入穴４０Ｂがこの開口部分を介して連結されている。ポット挿入穴４０Ｂをさく孔したら、さく岩機１０をガイドシェル１２上で後退させ、ポット挿入穴４０Ｂからビット２０を引き出す（図４（ｉｉｉ）を参照）。ポット挿入穴４０Ｂからビット２０を引き出したら、ガイドシェル１２をスライドさせてポット挿入穴４０Ａからガイド２２を引き出す（図４（ｉｖ）を参照）。
【００１７】
ポット挿入穴４０Ａからガイド２２を引き出したら、ポット挿入穴４０Ｂをさく孔したのと同様の手順を繰り返し、ガイド２２をポット挿入穴４０Ｂに挿入し、ポット挿入穴４０Ｂに隣接する３本目のポット挿入穴４０Ｃをポット挿入穴４０Ａと反対側にさく孔する（図５を参照）。ポット挿入穴４０Ａとポット挿入穴４０Ｂが連結されているのと同様に、さく孔されたポット挿入穴４０Ｃはポット挿入穴４０Ｂと開口部分を介して連結されている。ポット挿入穴４０Ａ、４０Ｂ、４０Ｃが互いに連結されて一列に並び、植栽穴３８を形成している。
【００１８】
次に、図６を参照しつつ植栽穴３８に挿入する植栽ポット５０について説明する。
植栽ポット５０は、古紙と肥料とフライアッシュとを含む筒状体であり、スラリー状の原料を型入れし、圧縮成型し、乾燥したものである。植栽ポット５０の直径は２Ｒ１よりもやや小さく、植栽穴３８の各ポット挿入穴４０Ａ、４０Ｂ、４０Ｃに植栽ポット５０を１本ずつ並べて挿入可能な大きさである。植栽ポット５０の筒内に苗木６０の根部分を土６２及び肥料６４とともに入れ、苗木ポット５２とする。また、別の植栽ポット５０の筒内に肥料６４を入れ、肥料ポット５４とする。
【００１９】
図７に示すように、苗木ポット５２を植栽穴３８中央のポット挿入穴４０Ｂに挿入し、肥料ポット５４を植栽穴３８両側のポット挿入穴４０Ａ、４０Ｃにそれぞれ挿入し、苗木の植栽を終える。
植栽された苗木６０は、苗木ポット５２によって岩盤３０の植栽穴３８に安定して保持され、苗木ポット５２の両隣には肥料が肥料ポット５４に保持されている。したがって、降雨等があっても、植栽穴３８から苗木６０、土６２、肥料６４が流されてしまうことはない。
植栽穴３８はポット挿入穴４０Ａ、４０Ｂ、４０Ｃが互いに連結されているので、雨水はポット挿入穴４０Ａ、４０Ｂ、４０Ｃからそれぞれ植栽穴３８に入り、苗木６０は充分な水分を得ることができる。
【００２０】
植栽穴３８内に植栽された苗木６０は、各ポット挿入穴４０Ａ、４０Ｂ、４０Ｃに入った雨水から水分を供給されるとともに肥料ポット５４から肥料を供給されて成長し、根を伸ばす。苗木６０の根はポット挿入穴４０Ｂからポット挿入穴４０Ａ、４０Ｃに進入して伸びるので、ポット挿入穴４０Ｂ内で根巻きを生じることはなく、苗木６０は、根を岩盤３０内に進入させるに足りる充分な成長力を蓄えるまで植栽穴３８内で成長する。充分な成長力を蓄えた苗木６０は根を岩盤３０内に進入させ、岩盤３０にしっかりと根付く。
【００２１】
なお、図８の変形例１に示すように、植栽面３２の傾斜に関係なく植栽穴３８を形成可能であることは勿論である。
また、本実施の形態では、一列に並ぶ３本のポット挿入穴４０Ａ、４０Ｂ、４０Ｃをさく孔して植栽穴３８を形成したが、植栽穴３８を形成するポット挿入穴の数が３本に限定されないことは勿論である。例えば、図９の変形例２に示すように、ポット挿入穴４０Ａの周りに３本のポット挿入穴４０Ｂ、４０Ｃ、４０Ｄをさく孔し、植栽穴３８をＹ字状に形成することが可能である。苗木ポット５２を中央のポット挿入穴４０Ａに挿入し、肥料ポット５４を残りのポット挿入穴４０Ｂ、４０Ｃ、４０Ｄにそれぞれ挿入する。
【００２２】
図１０の変形例３に示すように、ポット挿入穴４０Ａの周りに４本のポット挿入穴４０Ｂ、４０Ｃ、４０Ｄ、４０Ｅをさく孔し、植栽穴３８をＸ字状に形成することも可能である。苗木ポット５２を中央のポット挿入穴４０Ａに挿入し、肥料ポット５４を残りのポット挿入穴４０Ｂ、４０Ｃ、４０Ｄ、４０Ｅにそれぞれ挿入する。
さらに、本実施の形態では、植栽穴３８に挿入する植栽ポット５０が苗木ポット５２と肥料ポット５４であるが、代わりに、植栽穴３８に挿入する植栽ポット５０を筒内に植物の種子と肥料６４と土６２とを入れたものとし、植栽穴３８で種子を発芽させることも可能である。
【図面の簡単な説明】
【００２３】
【図１】植栽穴をさく孔するさく孔装置の構成図である。
【図２】ビットとガイドの位置関係図である。
【図３】１本目のポット挿入穴をさく孔するための手順説明図である。
【図４】２本目のポット挿入穴をさく孔するための手順説明図である。
【図５】植栽穴の外観図である。
【図６】植栽ポット、苗木ポット及び肥料ポットの外観図である。
【図７】苗木を植栽した植栽穴の説明図である。
【図８】変形例１に係る植栽穴の外観図である。
【図９】変形例２に係る植栽穴の説明図である。
【図１０】変形例３に係る植栽穴の説明図である。
【図１１】従来の植栽方法の説明図である。
【符号の説明】
【００２４】
１    さく孔装置
１０    さく岩機
１２    ガイドシェル
１４    マウンチング
１６    ロッド
１８    セントラライザ
２０    ビット
２２    ガイド
２４    切り欠き面
３０    岩盤
３２    植栽面
３４    水平面
３６    法面
３８    植栽穴
４０、４０Ａ、４０Ｂ、４０Ｃ、４０Ｄ、４０Ｅ    ポット挿入穴
５０    植栽ポット
５２    苗木ポット
５４    肥料ポット
６０    苗木
６２    土
６４    肥料
【図１】
2006121917.tif 000003
【図２】
2006121917.tif 000004
【図３】
2006121917.tif 000005
【図４】
2006121917.tif 000006
【図５】
2006121917.tif 000007
【図６】
2006121917.tif 000008
【図７】
2006121917.tif 000009
【図８】
2006121917.tif 000010
【図９】
2006121917.tif 000011
【図１０】
2006121917.tif 000012
【図１１】
2006121917.tif 000013